(57)【要約】【課題】複数の固定接点中から任意の固定接点を選択し、この選択された固定接点を切換える構成を小型化できる携帯装置であるＰＤＡを提供する。【解決手段】一列に配された複数の固定接点７ａ〜７ｄを有するプリント基板６に対し、３個の互いに連結された接点１０ａ、１０ｂ、１０ｃをプリント基板上に設けた第１の可動接点１０を形成し、固定接点７ａ〜７ｄと接点１０ａ、１０ｂ、１０ｃの一つに同時に接触する接点対１１、１２を第２の可動接点１３として形成し、これら第１の可動接点１１と第２の可動接点１３とを第１の可動部９と第２の可動部１４により列方向に沿って可動させ、固定接点７ａ〜７ｄ間の接続を多様に切換える。【選択図】      図２
2005005034.tif 000002
【特許請求の範囲】
【請求項１】
本体内に設けられた複数の回路に対応した固定接点を任意に選択して切換える機能を有する携帯装置であるＰＤＡにおいて、少なくとも４個以上の前記固定接点をプリント基板上に一列に配して形成した固定接点部と、前記固定接点部に隣接して前記列方向に沿って可動するプリント基板からなる第１の可動部と、前記第１の可動部の前記プリント基板上に互いに接続された少なくとも３個の接点からなる第１の可動接点と、前記第１の可動部を連結して前記本体の側部に設けた第１の操作部と、前記固定接点部に対向して前記列方向に沿って可動する第２の可動部と、前記固定接点と前記第１の可動接点とに同時に接触する接点対を前記第２の可動部に少なくとも２組設けて形成した第２の可動接点と、前記第２の可動部を連結して前記本体の側部に設けた第２の操作部とを備えてなることを特徴とする携帯装置であるＰＤＡ。
【請求項２】
本体内に設けられた複数の回路に対応した固定接点を任意に選択して切換える機能を有する携帯装置において、少なくとも４個以上の前記固定接点を一列に配した固定接点部と、前記固定接点部に隣接して前記列方向に沿って可動する第１の可動部と、前記第１の可動部に設けられ互いに接続された少なくとも３個の接点からなる第１の可動接点と、前記第１の可動部を連結した第１の操作部と、前記固定接点部に対向して前記列方向に沿って可動する第２の可動部と、前記固定接点と前記第１の可動接点とに同時に接触する接点対を前記第２の可動部に少なくとも２組設けて形成した第２の可動接点と、前記第２の可動部を連結した第２の操作部とを備えてなることを特徴とする携帯装置。
【請求項３】
前記第１の可動部は、第１の可動接点を形成したプリント基板からなることを特徴とする請求項２に記載の携帯装置。
【請求項４】
前記第１の操作部と前記第２の操作部とが本体の側部に設けられてなることを特徴とする請求項２に記載の携帯装置。
【請求項５】
前記第１の可動部は、第１の可動接点を形成したプリント基板からなり、前記第１の操作部と前記第２の操作部とが本体の側部に設けられてなることを特徴とする請求項２に記載の携帯装置。
【発明の詳細な説明】
【０００１】
【発明の属する技術分野】
本発明は、携帯電話、ＰＤＡ（Ｐｅｒｓｏｎａｌ  ｄｉｇｉｔａｌ  ａｓｓｉｓｔａｎｔ）といわれる個人向け携帯型情報通信器、携帯用オーディオ装置等のような各種の切換え操作を必要とする携帯装置に関する。
【０００２】
【従来の技術】
従来、この種の携帯装置は、電源スイッチは勿論のこと各種のモード切換えスイッチを有しているが、特に近時は、ＰＤＡに有っては小型化されると同時に各種の機能が豊富に盛り込まれるようになってきている。そのため、操作すべき切換えスイッチが多数必要となってきた。
【０００３】
そこで、このような携帯装置における従来技術としては、例えば下記特許文献１で示すものが提案されている。これは、回転ダイヤル４の回転動作によってカーソルを上下だけでなく、左右にも移動させるものである。そのために、別途補助キー５を設け、回転ダイヤル４だけの操作ではカーソルが上下に移動し、補助キー５の押圧操作と共に回転ダイヤル４を操作するとカーソルが左右に移動できるようにしたものである。このようにして、回転ダイヤル４は補助キー５の助けを借りて異なった動作が可能となる。
【０００４】
また、回転ダイヤル４は、押圧可能になっており、押圧することによりスイッチ動作がなされる構成をとっている。この構成により、回転ダイヤル４は任意の回動位置で押圧するとトリガー信号を発生する機能を有している。
【０００５】
【特許文献１】
特開２００２−３４２０００号公報
【０００６】
【発明が解決しようとする課題】
しかしながら、上述した従来の技術においては、回転ダイヤル４と補助キー５の２つの部品を異なった位置に配している。そのため、携帯装置は夫々の部品の占有体積を独立して確保し、夫々の部品間を接続するための回路を必要とすることになるので小型化に制限が生じてしまう。一方、回転ダイヤル４自体を押圧可能にしてスイッチ機能をもたせた技術にあっては、ディスプレイ上に表示した多種のメニュー画面から回転ダイヤル４の押圧操作によりクリックして所望のメニユーの選択ができる。そのため、この技術は、同一個所での同一部品での複数機能を達成するという有効な機能を有するが、ディスプレイ上での表示が必須となる。
【０００７】
ところが、各種の携帯装置では、複数の回路に対応した固定接点を任意に選択して切換える必要がある。このような機能を有する携帯装置においては、上述した記複数の部品を異なる位置に配する従来技術を適用すると小型化が不可能になってしまう。また、固定接点の切換えにディスプレイの表示を用いることは、特別なソフトウェアを必要とするのでコスト的に不利となり、操作もめんどうである。そこで、本発明は、上記携帯装置において、複数の固定接点中から任意の固定接点を選択し、この選択された固定接点の切換え操作に適したものを提供することを目的とする。
【０００８】
【課題を解決するための手段】
上記目的を達成するため、本発明の請求項１によるＰＤＡの構成は、本体内に設けられた複数の回路に対応した固定接点を任意に選択して切換える機能を有する携帯装置において、少なくとも４個以上の前記固定接点をプリント基板上に一列に配して形成した固定接点部と、互いに接続された少なくとも３個の接点からなる第１の可動接点を有し前記固定接点部に隣接して前記列方向に沿って可動する板状のプリント基板からなる第１の可動部と、前記第１の可動部を連結して前記本体の側部に設けた第１の操作部と、前記固定接点と前記第１の可動接点とに同時に接触する少なくとも２組の第２の可動接点を有し前記固定接点部に隣接して前記列方向に沿って可動する第２の可動部と、前記第２の可動部を連結して前記本体の側部に設けた第２の操作部とを備えてなるので、以下の効果を有する。第一に、前記ＰＤＡは、前記複数の固定接点中、前記第２の可動接点を接触させて選択した状態で、第１の可動接点と第２の可動接点との接触により選択された前記固定接点間を電気的に短絡するため、前記第２の可動接点の位置を第２の操作部で変更して切換え接続状態を確実に種々変更できる効果がある。特に、少ない操作部で多数の機能を発揮できるのでＰＤＡに適用して好適である。第二に、前記ＰＤＡは、前記第２の可動部がプリント基板で厚みが少ないため、全体的に厚みを薄くすることによって小型化に適した構成とすることができる。第三に、前記第１の操作部と前記第２の操作部とが本体の側部に可動可能に設けられることにより、前記第１の操作部と第２の操作部とが本体正面に配された表示面等の他の部品の邪魔にならない位置に配されるため、ＰＤＡにおいて操作性が向上したものとなる効果がある。
【０００９】
また、本発明の請求項２による携帯装置にあっては、本体内に設けられた複数の回路に対応した固定接点を任意に選択して切換える機能を有する携帯装置において、少なくとも４個以上の前記固定接点を一列に配した固定接点部と、互いに接続された少なくとも３個の接点からなる第１の可動接点を有し前記固定接点部に隣接して前記列方向に沿って可動する第１の可動部と、前記第１の可動部を連結した第１の操作部と、前記固定接点と前記第１の可動接点とに同時に接触する少なくとも２組の第２の可動接点を有し前記固定接点部に隣接して前記列方向に沿って可動する第２の可動部と、前記第２の可動部を連結した第２の操作部とを備えてなるので、前記複数の固定接点中、前記第２の可動接点を接触させて選択した状態で、第１の可動接点と第２の可動接点との接触により選択された前期固定接点間を電気的に短絡するため、前記第２の可動接点の位置を第２の操作部で変更して切換え接続状態を確実に種々変更できる効果がある。
【００１０】
また、本発明の請求項３による携帯装置にあっては、請求項２における前記第１の可動部は、第１の可動接点を形成したプリント基板からなるので、前記第２の可動部がプリント基板で厚みが少ないため、全体的に厚みを薄くすることによって小型化に適した構成とすることができる。
【００１１】
また、本発明の請求項４による携帯装置にあっては、請求項２における前記第１の操作部と前記第２の操作部とが本体の側部に可動可能に設けられることにより、前記第１の操作部と第２の操作部とが本体正面に配された表示面等の他の部品の邪魔にならない位置に配されるため、携帯装置において操作性が向上したものとなる効果がある。
【００１２】
また、本発明の請求項５による携帯装置にあっては、請求項２における前記第１の可動部は、第１の可動接点を形成したプリント基板からなり、前記第１の操作部と前記第２の操作部とが本体の側部に設けられてなるので、以下の効果を有する。第一に、前記携帯装置は、前記複数の固定接点中、前記第２の可動接点を接触させて選択した状態で、第１の可動接点と第２の可動接点との接触により選択された前記固定接点間を電気的に短絡するため、前記第２の可動接点の位置を第２の操作部で変更して切換え接続状態を確実に種々変更できる効果がある。  第二に、前記携帯装置は、前記第２の可動部がプリント基板で厚みが少ないため、全体的に厚みを薄くすることによって小型化に適した構成とすることができる。第三に、前記第１の操作部と前記第２の操作部とが本体の側部に可動可能に設けられることにより、前記第１の操作部と第２の操作部とが本体正面に配された表示面等の他の部品の邪魔にならない位置に配されるため、携帯装置において操作性が向上したものとなる効果がある。
【００１３】
【発明の実施の形態】
以下、本発明の実施の形態について図面を参照しながら説明する。図１は本発明の実施の形態の一例を適用した携帯装置であるＰＤＡの外観を示す斜視図、図２はその要部の断面図、図３はその要部を平面的に示した説明図である。
【００１４】
図１において、１はＰＤＡの本体であり全体的に円形となっている。本体１の側面中央部分には帯状に固定部２が設けられ、その両側には帯状の第１の操作部３と第２の操作部４とが設けられている。固定部２は本体１と一体になっており、第１の操作部３と第２の操作部４とは本体１に対して回動するようになっている。そして、これら固定部２、第１の操作部３及び第２の操作部４には夫々適宜に表示画施されている。一方、本体１の正面には液晶画面５が設けられている。
【００１５】
図２、図３で示すように本体１の内部には、プリント基板６上に一列に並んで４個の固定接点７ａ、７ｂ、７ｃ、７ｄを配して固定接点部８が形成されている。これら固定接点７ａ、７ｂ、７ｃ、７ｄは回路に接続されている。固定接点部８に隣接してプリント基板からなる第１の可動部９が配されている。そして、この第１の可動部９には、プリント基板上に第１の可動接点１０が設けられている。この第１の可動接点１０は、３個の互いに接続された接点１０ａ、１０ｂ、１０ｃによって形成されている。また、この第１の可動部１０は第１の操作部３と連結なされ、固定接点７ａ、７ｂ、７ｃ、７ｄの列に沿って移動するようになっている。１１、１２は夫々接点対であり、一方の接点１１ａ、１２ａが固定接点部８に接触し、他方の１１ｂ接点１２ｂが第１の可動接点１０に接触している。１３は接点対１１、１２からなる第２の可動接点であり、１４は第２の可動接点１３を取り付けた第２の可動部である。そして、この第２の可動部１４は第２の操作部４と連結され、固定接点７ａ、７ｂ、７ｃ、７ｄの列に沿って移動するようになっている。第１の操作部３と第２の操作部４は、所定に位置でクリックストップするクリックストップ機構（図示せず）が設けられている。
【００１６】
次に、本発明の実施の形態の一例における動作を図４〜図６を用いて説明するが、各構成部品は説明の便宜上直線的に示す。
【００１７】
図４、図５に基づいて、第１の切換え動作である固定端子７ａ、７ｂ、７ｃ間での切換えについて説明をする。まず、第１の操作部３を操作することよって第１の可動部１０を移働させ、固定接点７ａ、７ｂ、７ｃに隣接して位置させる。次に、第２の操作部４を回動操作して、図４で示すとおり一方の接点１１ａ、１２ａを固定接点７ａ、７ｂに接触させ、他方の接点１１ｂ、１２ｂを接点１０ａ、１０ｂに接触させる。その結果、固定接点７ａ、７ｂは第１の可動接点１０、第２の可動接点１４により短絡され、図５で示すように第１の回路１５ａと第２の回路１５ｂとを接続する。更に、第２の操作部４を回動操作して、一方の接点１１ａ、１２ａを固定接点７ｂ、７ｃに接触させ、他方の接点１１ｂ、１２ｂを接点１０ｂ、１０ｃに接触させる。その結果、固定接点７ｂ、７ｃは第１の可動接点１０、第２の可動接点１４により短絡され、図５で点線で示すように第２の回路１５ｂと第３の回路１５ｃとを接続する。第２の可動接点１３は、これ以外の位置では他方の接点１１ｂ、１２ｂがどの接点のも接触しないの電気的な接続関係が得られない。従って、第１の切換え動作では固定接点７ａ、７ｂ、７ｃ間だけの切換え接続がなされる。
【００１８】
図６、図７に基づいて、第２の切換え動作である固定接点７ｂ、７ｃ、７ｄ間での切換えについて説明をする。まず、第１の操作部３を操作することよって第１の可動部１０を移働させ、固定接点７ｂ、７ｃ、７ｄに隣接して位置させる。次に、第２の操作部４を回動操作して、図６で示すとおり一方の接点１１ａ、１２ａを固定接点７ｂ、７ｃに接触させ、他方の接点１１ｂ、１２ｂを接点１０ｂ、１０ｃに接触させる。その結果、固定接点７ｂ、７ｃは第１の可動接点１０、第２の可動接点１３により短絡され、図７で示すように第２の回路１５ｂと第３の回路１５ｃとを接続する。更に、第２の操作部４を回動操作して、一方の接点１１ａ、１２ａを固定接点７ｃ、７ｄに接触させ、他方の接点１１ｂ、１２ｂを接点１０ｃ、１０ｄに接触させる。その結果、固定接点７ｃ、７ｄは第１の可動接点１０、第２の可動接点１４により短絡され、図７において点線で示すように第３の回路１５ｃと第４の回路１５ｄとを接続する。第２の可動接点１３は、これ以外の位置では他方の接点１１ｂ、１２ｂがどの接点のも接触しないの電気的な接続関係が得られない。従って、第２の切換え動作では固定接点７ｂ、７ｃ、７ｄ間だけの切換え接続がなされる。
【００１９】
上述した本発明の第１の実施例による構成によれば、回路１５ａ〜１５ｄから例えば、回路１２ａ、１２ｂ、１２ｃを選択してこの間で切換えを行うことは、第１の可動部１０と第２の可動部１１との所定位置への移動によって達成できる。切換えを必要としない回路１１ｄにあっては、仮に、一方の接点１１ａ、１２ａが接触しても第１の可動接点１０と第２の可動接点１３とを介しての閉ループが形成されないため電気的な接続関係が得られない。一方、回路１２ｂ、１２ｃ、１２ｄを選択してこの間で切換えを行う場合は、第１の可動部１０を固定接点７ｂ、７ｃ、７ｄに隣接した位置に移動することによって達成できる。そして、第１の操作部３と第２の操作部４の２つの操作で多種の機能を選択できる。
【００２０】
尚、本発明の実施の形態の夫々の例では、固定接点は４個であるが、これに限定されずその個数を増加させるようにしてもよい。そして、必要とする切換え機能に応じて第１の可動接点１０、第２の可動接点１３の接点数を増加させるようにしてもよいことは勿論である。
【００２１】
尚又、本発明の実施の形態の夫々の例では、第１の可動部、第２の可動部は回動するものであるが直線的に移動するようにしてもよい。
【００２２】
【発明の効果】
以上説明したように、本発明の請求項１によるＰＤＡによれば、第一に、ＰＤＡは、複数の固定接点中、第２の可動接点を接触させて選択した状態で、第１の可動接点と第２の可動接点との接触により選択された固定接点間を電気的に短絡するため、第２の可動接点の位置を第２の操作部で変更して切換え接続状態を確実に種々変更できる効果がある。特に、少ない操作部で多数の機能を発揮できるのでＰＤＡに適用して好適である。第二に、ＰＤＡは、第２の可動部がプリント基板で厚みが少ないため、全体的に厚みを薄くすることによって小型化に適した構成とすることができる。第三に、第１の操作部と第２の操作部とが本体の側部に可動可能に設けられてなるので、第１の操作部と第２の操作部とが本体正面に配された表示面等の他の部品の邪魔にならない位置に配されるため、ＰＤＡにおいて操作性が向上したものとなる効果がある。
【００２３】
また、本発明の請求項２による携帯装置は、複数の固定接点中、第２の可動接点を接触させて選択した状態で、第１の可動接点と第２の可動接点との接触により選択された固定接点間を電気的に短絡するため、第２の可動接点の位置を第２の操作部で変更して切換え接続状態を確実に種々変更できる効果がある。
【００２４】
また、本発明の請求項３による携帯装置は、第１の可動部は、第１の可動接点を形成したプリント基板からなるので、第２の可動部がプリント基板で厚みが少ないため、全体的に厚みを薄くすることによって小型化に適した構成とすることができる。
【００２５】
また、本発明の請求項４による携帯装置は、第１の操作部と第２の操作部とが本体の側部に可動可能に設けられてなるので、第１の操作部と第２の操作部とが本体正面に配された表示面等の他の部品の邪魔にならない位置に配されるため、携帯装置において操作性が向上したものとなる効果がある。
【００２６】
また、本発明の請求項５による携帯装置によれば、第一に、携帯装置は、複数の固定接点中、第２の可動接点を接触させて選択した状態で、第１の可動接点と第２の可動接点との接触により選択された固定接点間を電気的に短絡するため、第２の可動接点の位置を第２の操作部で変更して切換え接続状態を確実に種々変更できる効果がある。  第二に、携帯装置は、第２の可動部がプリント基板で厚みが少ないため、全体的に厚みを薄くすることによって小型化に適した構成とすることができる。第三に、第１の操作部と第２の操作部とが本体の側部に可動可能に設けられてなるので、第１の操作部と第２の操作部とが本体正面に配された表示面等の他の部品の邪魔にならない位置に配されるため、携帯装置において操作性が向上したものとなる効果がある。
【図面の簡単な説明】
【図１】本発明の実施の形態の一例を適用した携帯装置であるＰＤＡの外観を示す斜視図である。
【図２】図１における要部の断面図である。
【図３】図２において各構成部材の相対関係を平面的に示した説明図である。
【図４】本発明の実施の形態の一例における第１の切換え動作を説明するための各構成部材の相対関係を平面的に示した説明図である。
【図５】図４における電気的な接続関係を示す回路図である。
【図６】本発明の実施の形態の一例における第２の切換え動作を説明するための各構成部材の相対関係を平面的に示した説明図である。
【図７】図６における電気的な接続関係を示す回路図である。
【符号の説明】
１          本体
２          固定部
３          第１の操作部
４          第２の操作部
６          プリント基板
７ａ、７ｂ、７ｃ、７ｄ固定接点
８          固定接点部
９          第１の可動部
１０          第１の可動接点
１０ａ、１０ｂ、１０ｃ接点
１１、１２    接点対
１３          第２の可動接点
１４          第２の可動部
【図１】
2005005034.tif 000003
【図２】
2005005034.tif 000004
【図３】
2005005034.tif 000005
【図４】
2005005034.tif 000006
【図５】
2005005034.tif 000007
【図６】
2005005034.tif 000008
【図７】
2005005034.tif 000009